(57)【要約】  本開示は、少なくとも１つの加熱素子を含むヒータを制御するための制御システムに関する。制御システムは、ヒータに調整可能な電圧出力を供給するように動作可能な電力コンバータ、ヒータの加熱素子の電気的特性を測定するセンサ回路、ヒータにおける基準の基準温度を測定する基準温度センサ、及びコントローラを含んでいる。コントローラは、電気特性に基づいて加熱素子の一次温度を計算し、基準温度と一次温度の少なくとも一方に基づいて、ヒータに印加される電圧出力を決定するように構成されている。コントローラは、操作モードと学習モードの少なくとも１つで動作し、ヒータに電圧が供給されている時に、保護プロトコルを実行するように構成される。【選択図】図１
2020526870.tif 000002
【特許請求の範囲】
【請求項１】
少なくとも１つの加熱素子を含むヒータを制御する制御システムであり、前記制御システムは、
前記ヒータに調整可能な電圧出力を供給するように動作可能な電力コンバータであって、電源からの電圧入力を前記電圧入力以下の電圧出力に変換するように構成される前記電力コンバータと、
前記ヒータの加熱素子の電気的特性を測定するように構成されたセンサ回路であって、前記電気的特性は、電流および電圧の少なくとも一方を含む前記センサ回路と、
前記ヒータの基準の基準温度を測定する基準温度センサと、及び、
前記電力コンバータを操作して前記ヒータへの前記電圧出力を制御するように構成されたコントローラと、
を備え、
前記コントローラは、前記電気的特性に基づいて前記加熱素子の一次温度を計算し、前記基準温度と前記一次温度の少なくとも一方に基づいて、前記ヒータに印加される前記電圧出力を決定し、
前記コントローラは、操作モードと学習モードの少なくとも１つで動作し、前記ヒータに前記電圧出力が供給されている時に１つ以上の保護プロトコルを実行するように構成される、制御システム。
【請求項２】
前記コントローラは、前記基準温度と前記一次温度との差が予め設定された閾値よりも大きいことに応じて、前記ヒータへの電力を低減または遮断するように構成される、請求項１に記載の制御システム。
【請求項３】
前記基準温度センサは、赤外線カメラ、熱電対、および抵抗温度検出器のうちの１つである、請求項１に記載の制御システム。
【請求項４】
前記学習モードにおいて、前記コントローラは、前記ヒータを操作して、前記加熱素子の温度を前記ヒータに配置された負荷の温度に関連付けるヒータ−負荷相関データを生成するように構成される、請求項１に記載の制御システム。
【請求項５】
前記学習モードにおいて、前記コントローラは、前記ヒータへの電力を徐々に増加させて、前記ヒータにより生成される熱を増加させ、複数の一次温度を決定し、前記一次温度を前記基準温度センサによって検出されるそれぞれの基準温度と相関させて、ヒータ負荷相関データを生成するように構成される、請求項４に記載の制御システム。
【請求項６】
前記コントローラは、前記電力が増加している期間に亘って、前記一次温度および前記基準温度の変化をマッピングするように構成される、請求項５に記載の制御システム。
【請求項７】
前記基準温度センサは、前記ヒータ上に配置された負荷および前記ヒータの表面の少なくとも一方の温度を測定するように構成される、請求項１に記載の制御システム。
【請求項８】
前記操作モードにおいて、前記コントローラは、ブースト補償を実行して、前記加熱素子が熱を生成して前記基準を所定の設定点温度まで加熱するレートを増加させる、請求項１に記載の制御システム。
【請求項９】
前記コントローラは、前記電気的特性に基づいて各加熱素子の一次温度を決定し、隣接ゾーンについて、前記一次温度に基づいて前記隣接ゾーンの一つ以上の加熱素子に供給される電力を調整して、ヒータ全体の温度変動を制御するように構成される、請求項１に記載の制御システム。
【請求項１０】
前記コントローラは、隣接するゾーンの温度よりも高い温度を有する１つのゾーンに応じて、前記１つのゾーンへの電力を低減するように構成される、請求項９に記載の制御システム。
【請求項１１】
前記操作モードにおいて、前記コントローラは、前記基準温度及び前記一次温度の少なくとも１つに基づいて、前記ヒータの動作状態として、複数の所定の状態モデル制御の中から、１つの状態モデル制御を選択するように構成される、請求項１に記載の制御システム。
【請求項１２】
前記複数の所定の状態モデル制御は、パワーアップ制御、ソフトスタート制御、設定レート制御、および定常状態制御のうちの少なくとも１つを含む、請求項１１に記載の制御システム。
【請求項１３】
前記状態モデル制御のそれぞれは、それぞれの状態モデル制御のためのヒータを制御するために、１つ以上の操作設定を定義する、請求項１１に記載の制御システム。
【請求項１４】
前記１つ以上の操作設定は、前記操作状態を終了して他の１つの状態モデル制御へ遷移する条件を定義する遷移条件を含む、請求項１３に記載の制御システム。
【請求項１５】
ヒータと、
請求項１に記載の制御システムと、
を備える熱システム。
【発明の詳細な説明】
【関連出願の相互参照】
【０００１】
本出願は、２０１７年８月１０日出願の米国仮出願第６２／５４３，４５７号の利益および優先権を主張し、２０１７年６月１５日に出願された「熱システム用の電力コンバータ」というタイトルの米国出願第１５／６２４，０６０の一部継続出願である。当該出願は、２０１６年６月１５日に出願された米国仮出願第６２／３５０，２７５号の利益を享受する。上記の出願の内容は、その全体が参照により本明細書に組み入れられる。
【技術分野】
【０００２】
本開示は、ヒータを有する熱システムを制御するためのシステム及び／又は方法に関する。
【背景技術】
【０００３】
本セクションの記述は、単に本開示に関連する背景情報を提供するものであり、先行技術を構成しない場合がある。
【０００４】
一般に、負荷を加熱するためのペデスタルヒータなどのヒータは、制御システムによって制御される加熱素子を含む。例えば、ペデスタルヒータは、セラミック基板、及び当該セラミック基板に埋め込まれ、複数の加熱ゾーンを規定する複数の抵抗加熱素子を有する加熱プレートを含む。典型的には、ヒータ起動中に同じランプレートで同じ電力が複数の抵抗加熱素子に印加される。
【０００５】
抵抗加熱素子に同じ電力が印加されるにもかかわらず、例えば、ヒートシンクに対する加熱ゾーンの位置及び不均一な製造に起因する特性の違いにより、いくつかの抵抗加熱素子は他の加熱素子よりも速く加熱され得る。ある加熱ゾーンが隣接する加熱ゾーンよりも速く加熱されると、隣接する加熱ゾーン間の温度差により、異なる熱膨張が生じ、その結果、隣接する加熱ゾーン間で熱応力が生じる。大きな熱応力は、セラミック基板に熱亀裂が発生を引き起こす。これらおよび他の問題は、本開示により対処される。
【発明の概要】
【０００６】
本セクションは、本開示の一般的な要約を提供し、その全範囲またはその特徴のすべての包括的な開示ではない。
【０００７】
一形態において、本開示は、少なくとも１つの加熱素子を含むヒータを制御する制御システムに関連する。制御システムは、電力コンバータと、センサ回路と、基準温度センサと、コントローラを含んでいる。電力コンバータは、ヒータに調整可能な電圧出力を供給するように動作可能なであって、電源からの電圧入力を電圧入力以下の電圧出力に変換するように構成される。センサ回路は、ヒータの加熱素子の電気的特性を測定し、電気的特性は、電流および電圧の少なくとも一方を含む。基準温度センサは、ヒータの基準の基準温度を測定する。コントローラは、電力コンバータを操作してヒータへの電圧出力を制御するように構成される。コントローラは、電気的特性に基づいて加熱素子の一次温度を計算し、基準温度と一次温度の少なくとも一方に基づいて、ヒータに印加される電圧出力を決定する。コントローラは、操作モードと学習モードの少なくとも１つで動作し、前記ヒータに電圧出力が供給されている時に１つ以上の保護プロトコルを実行するように構成される。
【０００８】
別の形態において、コントローラは、基準温度と一次温度との差が予め設定された閾値よりも大きいことに応じて、ヒータへの電力を低減または遮断するように構成される。
【０００９】
さらに別の形態において、基準温度センサは、赤外線カメラ、熱電対、および抵抗温度検出器のうちの１つである。
【００１０】
一形態において、学習モードにおいて、コントローラは、ヒータを操作して、加熱素子の温度をヒータに配置された負荷の温度に関連付けるヒータ−負荷相関データを生成するように構成される。
【００１１】
別の形態において、学習モードにおいて、コントローラは、ヒータへの電力を徐々に増加させて、ヒータにより生成される熱を増加させ、複数の一次温度を決定し、一次温度を基準温度センサによって検出されるそれぞれの基準温度と相関させて、ヒータ負荷相関データを生成するように構成される。
【００１２】
さらに別の形態において、コントローラは、電力が増加している期間に亘って、一次温度及び基準温度の変化をマッピングするように構成される。
【００１３】
一形態において、基準温度センサは、ヒータ上に配置された負荷及びヒータの表面の少なくとも一方の温度を測定するように構成される。
【００１４】
別の形態において、操作モードにおいて、コントローラは、ブースト補償を実行して、加熱素子が熱を生成して基準を所定の設定点温度まで加熱するレートを増加させる。
【００１５】
さらに別の形態において、コントローラは、電気的特性に基づいて各加熱素子の一次温度を決定し、隣接ゾーンについて、一次温度に基づいて隣接ゾーンの一つ以上の加熱素子に供給される電力を調整して、ヒータ全体の温度変動を制御するように構成される。
【００１６】
一形態において、コントローラは、隣接するゾーンの温度よりも高い温度を有する１つのゾーンに応じて、１つのゾーンへの電力を低減するように構成される。
【００１７】
別の形態において、操作モードにおいて、コントローラは、基準温度及び一次温度の少なくとも１つに基づいて、ヒータの動作状態として、複数の所定の状態モデル制御の中から、１つの状態モデル制御を選択するように構成される。
【００１８】
さらに別の形態において、複数の所定の状態モデル制御は、パワーアップ制御、ソフトスタート制御、設定レート制御、および定常状態制御のうちの少なくとも１つを含む。
【００１９】
一形態において、状態モデル制御のそれぞれは、それぞれの状態モデル制御のためのヒータを制御するために、１つ以上の操作設定を定義する。
【００２０】
別の形態において、１つ以上の操作設定は、操作状態を終了して他の１つの状態モデル制御へ遷移する条件を定義する遷移条件を含む。
【００２１】
さらに別の形態において、本開示は、ヒータと、上述の制御システムと、を備える熱システムである。
【００２２】
適用可能性のあるさらなる分野は、本明細書で提供される説明から明らかになる。説明及び特定の実施例は、例示の目的のみを意図しており、本開示の範囲を限定することを意図していないことを理解されたい。
【図面の簡単な説明】
【００２３】
本開示を十分に理解できるようにするために、添付図面を参照して、例として与えられるその様々な形態について説明する。
【００２４】
【図１】図１は、本開示の教示による、ヒータ及び制御システムを有する熱システムを示す。
【００２５】
【図２】図２は、本開示の教示による電力コンバータを示す。
【００２６】
【図３】図３は、図１の制御システムのブロック図である。
【００２７】
【図４】図４は、本開示の教示による複数の状態モデルによって定義される例示的な状態モデル制御プログラムを示す図である。
【００２８】
【図５Ａ−５Ｅ】図５Ａ、図５Ｂ、図５Ｃ、図５Ｄ、及び図５Ｅは、図４の状態モデル制御プログラムの状態モデルの設定を示す。
【００２９】
【図６】図６は、本開示の教示によるメインメニューグラフィカルユーザインターフェースの例である。
【００３０】
【図７】図７は、本開示の教示による制御システムインターフェースの斜視図である。
【００３１】
【図８】図８は、分離回路を有する制御システムのブロック図である。
【００３２】
【図９】図９は、図８の分離回路の構成例である。
【００３３】
本明細書で説明される図面は、例示のみを目的とするものであり、本開示の範囲を限定することを意図するものでは決してない。
【発明を実施するための形態】
【００３４】
以下の説明は本質的に単なる例示であり、本開示、用途、又は使用を限定することを意図するものではない。図面全体を通して、対応する参照符号は、同様又は対応する部品および特徴を示すことを理解されたい。
【００３５】
図１を参照すると、本開示の教示に従って構成された熱システム１００は、ヒータ１０２と、ヒータコントローラ１０６および電力変換システム１０８を有する制御システム１０４とを含む。本開示の一形態では、ヒータ１０２は、ペデスタルヒータであり、加熱プレート１１０と、加熱プレート１１０の底面に配置された支持シャフト１１２とを含む。加熱プレート１１０は、基板１１１と、基板１１１の表面に埋め込まれた、又は表面に沿って配置された複数の抵抗加熱素子（図示せず）とを含む。基板１１１は、セラミックまたはアルミニウムで形成されていてもよい。抵抗加熱素子は、コントローラ１０６によって独立して制御され、図中の一点鎖線で示すように複数の加熱ゾーン１１４を規定する。これらの加熱ゾーン１１４は単なる例示であり、本開示の範囲内に存在する任意の構成をとることができる。
【００３６】
ヒータ１０２は、温度を決定するために抵抗の変化がコントローラ１０６に使用され得る「２線式（two-wire）」ヒータであってもよい。そのような２線式システムは、本出願と共通に所有されている米国特許第７，１９６，２９５号に開示されており、その内容はその全体が参照により本明細書に組み込まれる。２線式システムでは、熱システムは、適応熱システムであって、当該適応熱システムは、ヒータ設計を、電力、抵抗、電圧、及び電流を、カスタマイズ可能なフィードバック制御システムに盛り込む制御にマージする。当該フィードバック制御システムは、他を制御しながら１つ以上のこれらのパラメータ（電力、抵抗、電圧、電流等）を制限する。以下でさらに説明するように、一形態では、電力変換システム１０８により、コントローラ１０６は安定した連続的な電流及び電圧の読み取り値を取得する。次に、これらの読み取り値を使用して、抵抗、従ってヒータ１０２の温度を決定することができる。別の形態では、コントローラ１０６は、米国特許第７，１９６，２９５号に記載されているように、ゼロクロッシングでの電圧及び/又は電流を測定するように構成されている。
【００３７】
ヒータ１０２はペデスタルヒータとして説明されるが、本開示の制御システムは、管状ヒータおよび流体ライン用ヒータージャケットなどの他のタイプのヒータを制御することができ、ペデスタルヒータに限定されるべきではない。
【００３８】
制御システム１０４は、例えば電力コンバータ１１６よりも低い電圧で動作するコントローラ１０４などのコンポーネントを含む。従って、低電圧コンポーネントを高電圧から保護するために、制御システム１０４は、高電圧コンポーネントから低電圧コンポーネントを絶縁し、かつ信号を交換可能な電子コンポーネントを含む。図１では、電力線は破線で示されており、データ信号線は実線で示されている。
【００３９】
電力変換システム１０８は、ヒータ１０２の加熱素子に電力を供給する電力コンバータ１１６（図中１１６１乃至１１６ｎ）含む。より具体的には、各電力コンバータ１１６は、電源１１８からの入力電圧（ＶＩＮ）を、ヒータ１０２の加熱素子に印加される出力電圧（ＶＯＵＴ）に調整するように動作する。このとき出力電圧は入力電圧以下である。そのような電力変換システムの一例は、２０１７年６月１５日に出願され、「熱システム用の電力コンバータ」というタイトルの同時係属出願米国出願番号１５／６２４，０６０に記載されている。当該出願は、本出願およびその内容と共通に所有され、その全体が参照により本明細書に組み込まれる。この例では、各電力コンバータは、バックコンバータを含み、当該バックコンバータは、コントローラ１０６によって動作可能であって、所定のゾーンの１つ以上の加熱素子への所望の出力電圧（ＶＯＵＴ）を生成する。
【００４０】
より具体的には、図２に参照されるように、所定の電力コンバータ１１６は、ドライバ回路１２０と、電力スイッチとも呼ばれる制御スイッチ１２４（図中「ＳＷ」）を有するバックコンバータ１２２とを含む。例示の目的で、破線１２６は、システム１００の高電圧セクションからの低電圧セクションの分離を表している。ドライバ回路２０２は、コントローラ１０４からの入力信号に基づいて制御スイッチ２０６を操作し、電源１１８を調整し、１つ以上の加熱素子１２８に低減された電圧を出力する。ドライバ回路２０２は、コントローラ１０６と通信し、コントローラ１０６を電力コンバータ１１６から分離するために、光アイソレータ、変圧器などの電子機器を含んでいる。従って、電力変換システム１０８は、ヒータ１０２の加熱ゾーンのそれぞれにカスタマイズ可能な量の電力を提供するように動作可能である。図２には特定の構成要素が示されているが、電力コンバータ１１６は、本開示の範囲内に留まりながら、他の構成要素を含むことができることは、容易に理解されるべきである。
【００４１】
一形態では、制御システム１０４は、電源１１８と電力変換システム１０８との間を流れる電力を制御するために、リレーなどのインターロック１２９を含む。インターロック１２９は、本開示で説明するように、電源１１８から電力変換システム１０８への電力を遮断する安全機構として、すなわち異常な活動の場合にヒータ１０２への電力を遮断する安全機構として、コントローラ１０６によって動作可能である。
【００４２】
図１及び図２に参照されるように、ヒータ１０２の性能をモニターするために、制御システム１０４は、基準センサ１３０および１つ以上のヒータセンサ回路１３２を含んでいる。基準センサ１３０は、ヒータ１０２について基準領域の温度（すなわち、基準温度）を測定するように構成される別個のセンサである。例えば、一形態では、基準センサ１３０は、ヒータ１０２によって加熱されている負荷（例えば、ウェハ、パイプ）の温度を測定する。当該負荷は基準領域である。別の例では、基準センサ１３０は、ヒータ１０２の表面に沿って温度を測定する。基準センサ１３０は、赤外線カメラ、熱電対、抵抗温度検出器、及び／又は温度測定に適した他のセンサであり得る。加えて、ヒータ１０２の周りの異なる領域を検出するために、複数の基準センサが使用されてもよい。
【００４３】
２線ヒータの使用により、ヒータセンサ回路１３２（すなわち、センサ回路）は、加熱素子の電気特性を測定するように構成され、次いで加熱素子の性能特性、例えば抵抗、温度、及びその他の適切な情報、を決定するために使用される。一形態では、１つ以上の加熱素子の電気的特性を測定する、所定のヒータセンサ回路１３２が設けられており、当該加熱素子は、所定の電力コンバータ１１６から電力を受け取る、例えば、図２は、ヒータセンサ回路１３２を示しており、当該ヒータセンサ回路１３２は、電力コンバータ１１６と加熱素子１２８との間の電気回路に結合され、加熱素子１２８の電気特性を測定する。電気特性は、電流及び電圧の少なくとも一方を含んでいる。一形態では、センサ回路１３２は、電力計測チップ１３４（図中「ＰＭ」）を含んでおり、加熱素子に印加される電力に関係なく電流及び／又は電圧を連続的に測定する。また、センサ回路１３２は、システムの低電圧部と高電圧部との間で信号を送信するために、他から分離されたアナログ／デジタルコンバータ、光アイソレータ、または変圧器などの他の電子機器を有していてもよい。センサ回路１３２は、本開示の範囲内にとどまりつつ、米国出願第１５／６２４，０６０号に記載されているセンサ回路等、他の適切な方法で構成することができる。
【００４４】
基準センサ１３０及び／又はセンサ回路１３４からのデータは、ヒータ１０２の動作を制御するための更なる処理のために、ヒータコントローラ１０６に提供される。一形態では、ヒータコントローラ１０６は、制御システム１０４と情報を交換するために、ユーザによって操作可能なコンピューティングデバイス１３６等の外部デバイスに通信可能に結合される。例えば、コンピューティングデバイス１３４は、デスクトップコンピュータ、タブレット、ラップトップ等であり、無線通信リンク（例えば、ＷＩ−ＦＩ、ブルートゥース（登録商標）など）及び／又は有線通信を介してコントローラ１０に通信可能に結合され得る。一形態では、コントローラ１０６は、１つ以上のグラフィカルユーザインターフェース（ＧＵＩ）を介してコンピューティングデバイス１３６と情報を交換するように構成される。ＧＵＩは様々な適切な方法で、動作状態、温度プロファイル、ヒータの電気特性、及び他の適切な情報等、ヒータ１０２の制御および動作に関連する情報を中継する。ＧＵＩは様々な適切な方法で、設定点（温度、電力等）、動作変数（変化レート、ＰＩＤ変数等）、ヒータ１０２の制御状態の選択（学習モード、キャリブレーション、手動制御、状態制御プログラム等）等のユーザからの入力を受信する。
【００４５】
コントローラ１０６は、１つ以上のマイクロプロセッサと、マイクロプロセッサによって実行されるコンピュータ読み取り可能命令（すなわち、ソフトウェアプログラム）を格納するメモリ（例えば、ＲＡＭ、ＲＯＭなど）を含む電子機器を含む。コントローラ１０６は、所定のコンピュータ読み取り可能命令により、１つ以上の制御プロセスを実行するように構成される。当該制御プロセスは、ヒータ学習状態、状態モデル制御、システム保護モニター、及び／又は本開示で説明する他の適切なプロセス等である。
【００４６】
図３に参照されるように、一形態では、コントローラ１０６は、インターフェースモジュール２００、性能フィードバックモジュール２０２、ヒータ学習モジュール２０４、電力制御モジュール２０６、状態モデル制御モジュール２０８、状態選択モジュール２１０、及びシステム保護モジュール２１２として動作するように構成される。インターフェースモジュール２００は、コンピューティングデバイス１３６などの１つ以上の外部デバイスと通信するように構成される。コンピューティングデバイスに関して、インターフェースモジュール２００は、コントローラ１０６の他のモジュールによって得られる様々な制御オプションとシステム性能情報をユーザに表示するＧＵＩを表示するように構成される。ユーザが制御オプションを選択した場合、インターフェースモジュール２００は、コントローラ１０６のそれぞれのモジュールにデータを送信する。
【００４７】
性能フィードバックモジュール２０２は、基準センサ１３０及びヒータセンサ回路１３２からの電気的応答を測定して、基準温度及びヒータ温度（すなわち、請求項における一次温度）を決定するように構成される。例えば、センサ回路１３２の電気的特性に基づいて、性能フィードバックモジュール２０２は、それぞれの加熱素子の平均抵抗を決定し、次いで温度と抵抗を相関させる所定の情報を使用して、加熱素子の温度を決定する。性能フィードバックモジュール２０２は、使用されている基準センサ１３０のタイプに基づいて基準温度を決定するように構成される。例えば、基準センサ１３０がＲＴＤである場合、フィードバックモジュール２０２は、温度に対する抵抗に関連させる所定の情報を含み、この情報を使用して基準領域の温度を決定する。
【００４８】
一形態では、ヒータ学習モジュール２０４は、互いに関連付けられた２つ以上のパラメータを互いに関連付け、その後他の測定値に基づいて１つのパラメータの値を決定するために使用される、１タイプ以上のタイプの相関データを形成するように構成される。例えば、学習モジュール２０４は、ヒータ１０２の性能と加熱される負荷を相関させる、ヒータ１０２の性能マップを構築するように構成される。具体的には、ヒータ１０２の温度（すなわち、加熱素子の温度）は、ヒータ１０２の表面の温度と、ヒータ１０２に置かれた負荷の温度とは異なる。一形態では、ヒータ学習モジュール２０４は、ヒータ−負荷温度相関データを生成する。当該ヒータ−負荷温度相関データは、ヒータ１０２の温度（すなわち、ヒータ温度）、及び、ヒータ温度およびヒータ１０２に印加される電力に基づいて、負荷が設定点温度に達するのに必要な時間を提供する。例えば、ヒータ温度が５００°Ｃで、負荷温度が４７０°Ｃ、つまりオフセットが３０°Ｃ、である場合、ヒータ−負荷温度相関データは、所望の期間内に負荷温度を、例えば４９０°Ｃに上げるため、適切なヒータ温度を決定するために使用される。
【００４９】
ヒータ負荷温度相関データを生成するために、ヒータ学習モジュール２０４は、ヒータ学習ルーチンを実行するように構成される。当該ヒータ学習ルーチンの間では、加熱のためにヒータ１０２の上には負荷又はアーチファクトが配置されている。学習モジュール２０４は、プリセット動作シーケンスに従ってヒータ１０２を動作させる。当該プリセット動作シーケンスでは、電力制御モジュール２０６はヒータ１０２への電力を徐々に増加させてヒータ温度を上昇させる。ヒータ学習モジュール２０４は、性能フィードバックモジュール２０２から各加熱素子の平均温度と基準温度を取得する。
【００５０】
加熱素子の温度を使用して、学習モジュール２０４は、全体的なヒータ温度を取得し、加えられる電力、加熱動作の持続時間、及びヒータ温度を相関させる。加えて、ヒータ学習モジュール２０４は、適用される電力、ルーチン時間、及び測定された基準温度を相関させる。２つの相関データを使用して、ヒータ学習モジュール２０４は、電力及び時間の変化に亘って一次温度（すなわち、ヒータ温度）をそれぞれの基準温度と相関させて、ヒータ負荷相関データを形成する。一形態では、ヒータ学習ルーチンは、相関データを構築及び更新する時であっても、いかなる時にでも実行される。
【００５１】
ヒータ学習モジュール２０４は、他の適切な方法で構成されてもよい。例えば、負荷温度を測定する代わりに、モジュール２０４は、基準センサ１３０を使用してヒータ１０２の表面を測定し、ヒータと表面温度を相関させてもよい。所定のアルゴリズムを使用して、表面温度に基づいて負荷の温度を推定し、ヒータ−負荷相関データを取得できる。
【００５２】
一形態では、ヒータ−負荷相関データは、レート及び手動制御を含むがこれらに限定されない１つ以上の状態モデル制御によって用いられ、負荷温度が上昇するレートを高めるブースト補償を実行する。具体的には、コントローラ１０６は、相関データを用いて、ヒータ１０２が特定の温度に達するのにかかる時間を知り、ヒータ温度が何度であるべきか、及び、負荷温度が所望の温度に達するまでの時間を決定する。従って、コントローラ１０６は、負荷温度が増加するレートを増加させることができる。
【００５３】
ヒータ−負荷相関データに加えて、またはその代わりに、ヒータ学習モジュール２０４は、自動学習抵抗−温度曲線制御を実行して、２線式システムのための抵抗−温度マッピングテーブルを自律的に生成するように構成される。温度曲線に対する抵抗を決定する一例は、米国特許第７，１９６，２９５号に開示されている２線式システムに記載されている。一般に、ワイヤの抵抗は、基準温度でのベース抵抗、２線（two-wire）に使用される特定の材料のＴＣＲ、及び温度に基づいて決定される。２線式システムは、電圧及び/又は電流に基づいて抵抗を決定でき、その後、抵抗、ベース抵抗、およびＴＣＲを使用して温度を決定できる。抵抗−温度曲線は、例えば、基準温度と２線式システムの間にあるリード線またはオフセットからの追加抵抗に基づいて調整できる。
【００５４】
電力制御モジュール２０６は、各コンバータ１１６の電力出力コマンドに基づいて各電力コンバータを動作させるように構成される。一形態において、電力出力コマンドは、ヒータ学習モジュール２０４、状態選択モジュール２１０、及びシステム保護モジュール２１２のうちの少なくとも１つによって提供され得る。一形態では、電力制御モジュール２０６は、ドライバ回路１２０に制御信号を出力し、ドライバ回路１２０は返しにそれぞれの電力コンバータ１１６の制御スイッチ１２４を操作して、指定された加熱素子の所望の出力電圧に入力電圧を調整する。
【００５５】
状態モデル制御モジュール２０８及び状態選択モジュール２１０は、状態モデル制御を構築し、所望の状態モデルを選択してヒータ１０２を動作させるように構成される。一形態では、状態モデル制御モジュール２０８は、状態モデル制御リポジトリ２１４内に１つ以上の状態モデルを格納し、ユーザからの入力に基づいて新しい状態モデルを変更又は構築するように構成される。例えば、以下の表１は、異なる状態モデルの例を示している。当該異なる状態モデルとは、設定条件内でヒータ１０２を制御するためのコンピュータ実行可能プログラムである。なお特定の例が示されているが、本開示の範囲内に留まりつつ、他の状態モデルが使用されてもよい。
【表１】
2020526870.tif 000003
【００５６】
一形態では、状態モデル制御は、それぞれの状態モデル制御のためにヒータ１０２を制御するための１つ以上の動作設定によって定義される。例えば、表２は、状態モデルコントロールを定義するために使われる様々な設定を示している。特定の例が提供されているが、本開示の範囲内に留まりつつ、他の設定が使用されてもよい。
【表２】
2020526870.tif 000004
【００５７】
異なる設定を使用して、異なる状態モデルを定義することができ、同じタイプの状態モデルの異なるバリエーションも定義することができる。例えば、図４は、６つの異なる状態モデルによって定義される状態モデル制御プログラム２５０を示す。当該６つの異なる状態モデルには、パワーアップ制御２５２、ソフトスタート制御２５４、レート制御２５６、及び３つのＰＩＤ制御２５８、２６０、２６２（例えば定常状態制御）が含まれている。図４は、制御プログラム２５０の所定の状態モデルから別の状態モデルへの遷移を示している。
【００５８】
各状態モデルは、コンピューティングデバイス１３５を介してユーザが固定または調整可能な、１つ以上の設定によって定義される。例えば、図５Ａ乃至５Ｅは、図４の状態モデル制御プログラム２５０の状態モデル１乃至５の設定を示す。ユーザが調整可能な設定のタイプ及び／又は数は、熱システム１００の使用に基づいてカスタマイズすることができ、従って、調整可能又は固定されるいかなる数が本開示の範囲内である。
【００５９】
図５Ａは、パワーアップ制御２５２の設定を示しており、これには以下が含まれる。すなわち、２％／分でパワーアップを実行するための電力設定点；及び、加熱素子の電気特性（ＨＥＣ）が、ユーザによってあらかじめ定義された又は調整可能なパワーアップ時閾値（ＴＨＰＷＲ―ＵＰ）よりも大きい場合に、状態モデル２（ソフトスタート制御２５４）に移行するための遷移条件が含まれる。図５Ｂは、ソフトスタート制御２５４の設定を示しており、これは以下が含まれる。すなわち、初期電力０％及び最大電力５％の０．５％電力／分のレート設定；及び、電圧出力（ＶＯ／Ｐ）が５％よりも大きい場合に、制御２５４を終了し状態モデル３（レート制御２５６）に移行する遷移条件が含まれる。図５Ｃは、レート制御２５６の設定を示しており、これには以下が含まれる。すなわち、１２℃／分のレート設定点；２００℃の比例帯（ＰＢ）、３０秒の積分ゲイン（Ｔｉ）、及び０秒の（Ｔｄ）の微分ゲイン；選択可能であるが、現在設定されていない開始アクション；システムが１℃の相対パラメータ（Ｒｅｌ．Ｐａｒａｍ  １）で電力設定値（ＳＰ）に近い場合に、状態モデル４（ＰＩＤ−１  ２５８）に移行する遷移条件が含まれる。図５Ｄ及び５Ｅは、状態モデル制御４及び５（すなわち、ＰＩＤ−１  ２５８及びＰＩＤ−２  ２６０）の設定をそれぞれ示しており、両方とも異なる設定が割り当てられたＰＩＤ制御である。他の設定とともに、状態モデル制御４には、以下の２つの終了条件が含まれる。すなわち、温度設定点が１０℃の相対パラメータ（Ｒｅｌ．Ｐａｒａｍ  １）だけ増加する場合において、状態モデル３（例えばレート２５６）へ遷移する第１の状態遷移；及び、設定点が１０℃の相対パラメータ（Ｒｅｌ．Ｐａｒａｍ  ２）だけ減少する場合において、状態モデル５（ＰＩＤ−２  ２６０）へ遷移する第２の状態遷移が含まれる。同様に、状態モデル制御５にも以下の２つの終了条件が含まれる。すなわち、システムが設定点から遠い場合（例えば＋／−５℃）において、状態モデル６（ＰＩＤ−３  ２６２）へ遷移する第１の終了状態遷移、及び、あらかじめ定められた時間が経過後、状態モデル4（ＰＩＤ−１  ２５８）へ遷移する第２の終了状態遷移が含まれる。
【００６０】
図５Ａ乃至５Ｃは、特定の制御プログラムの異なる状態モデルの設定例を示している。 異なる状態モデルに他の設定を使用できることは、容易に理解されるべきである。加えて、状態制御プログラムは、２つ以上の状態モデルによって定義されてもよく、本明細書で提供される例に限定されるべきではない。加えて、コントローラ１０６は、ヒータ１０２の動作を制御するための複数の状態制御プログラムを含むように構成され得る。従って、
異なるタイプの負荷、ヒータ、及び性能基準に適応する異なる状態モデル制御プログラムが作成され得る。
【００６１】
一形態では、コンピューティングデバイス１３６を介して、ユーザは、選択されたヒータ動作状態として、格納された状態制御モデル及び状態制御プログラムから制御動作を選択する。状態選択モジュール２１０は、性能フィードバックモジュール２０２からの情報及び選択されたヒータ状態動作で提供される状態モデルに定義された設定に基づいて、リポジトリ２１４に格納された、選択されたヒータ動作状態を実行するように構成される。動作中、状態選択モジュール２１０は、実行される状態モデルの条件を満たすように、各加熱ゾーン１１４の所望の電力レベルを決定し、電力レベルを電力制御モジュール２０６に出力する。センサ１３０及び１３２からのフィードバック情報を用いつつ、状態選択モジュール２１０は、ヒータ１０２への電力を調整することができる。
【００６２】
従って、状態モデル制御モジュール２０８及び状態選択モジュール２１０は、特定のヒータの制御プログラム（例えば指紋）を開発するために、ユーザが所与の状態モデル制御の制御スキームを動的に変更できるようにする。例えば、ある状態から別の状態に遷移する場合、静的な電力レベルである積分は、ユーザが設定値に設定するか、あるいは温度などの変数で条件付けすることができる。そのため、状態ベースのモデル制御は、各ヒータごとに調整でき、全てのヒータに固定された制御スキームではない。
【００６３】
システム保護モジュール２１２は、ヒータ１０２及び／又は制御システム１０４を損傷する可能性のある異常動作について、熱システム１００をモニターするように構成される。一形態では、システム保護モジュール２１２は、以下の保護プロトコルの少なくとも１つを実行する。すなわち、ゾーン間モニター；ゾーン−基準のモニター；変化レートゲージ、及び/又はエネルギー制限制御である。
【００６４】
ゾーン間モニター及びゾーン−基準のモニターは、熱システム１００がヒータ１０２に沿って所望の平衡を維持しているかどうかを評価し、ヒータ１０２への損傷、例えばセラミック破損、を最小化又は防止するためのコヒーレンス制御の例である。例えば、ゾーン間モニターの場合、保護モジュール２１２は、性能フィードバックモジュール２０２からの情報に基づいて、加熱ゾーン１１４の温度を決定し、隣接するゾーン間の温度の差が温度変動閾値（例えば１０℃の差）を超えるかどうかを決定する。その場合、保護モジュール２１２は、熱システム１００への損傷を最小化または防止するための保護対策を実行する。
【００６５】
ゾーン−基準のモニターは、ヒータ１０２の平均温度を基準温度と比較して、その２つの間の温度が温度変動閾値を超えるかどうかを判定する。当該温度変動閾値は、ゾーン間モニターに使用されるものと同じ、あるいは異なる。従って、コヒーレンス制御は、例えば、ヒータ１０２への電力を調整するか、システムをシャットダウンすることにより、熱システム１００が変動閾値を超えるのを防ぐことができる。
【００６６】
熱システム１００が異常動作し得ることに対する別の指標は、印加されている電力に基づいてヒータ１０２が加熱している時のレートである。具体的には、一形態では、ヒータ１０２のヒータ温度及び/又は印加電力に基づいた電気的応答の変化におけるレートを、関連付けられているレート範囲閾値と比較して、ヒータ１０２が仕様内で応答しているかどうかを判定する。例えば、適用される電力が増加してもヒータ温度が増加しない場合、あるいは適用される電力が同じかわずかに増加する場合にヒータ温度が急激に増加する場合、保護モジュール２１２はそのような動作が異常であるとしてフラグを立て、保護対策を実行する。同様に、エネルギー制限制御は、ヒータ１０２に適用できる電力量の制限を設定し、保護モジュール２１２は、熱システム１００がそれらの制限を超え、及び／又はそれに近づく場合に、保護対策を出力する。例えば、エネルギー制限制御を使用して、低抵抗起動時の最大電流、および伝送される最大電力を設定する。最大値は、ユーザが設定することも、例えばヒータ１０２の仕様に基づいて予め決定することもでき、温度範囲にわたって変化させることもできる。
【００６７】
システム保護モジュール２１２によって実行される保護対策は、以下を含むが、これらに限定されない。すなわち、変動を制御するよう、１つ以上の加熱ゾーン１１４への電力を減らすように電力制御モジュール２０６に命令する、ヒータ１０２への電力を遮断する、深刻な温度変動に関するメッセージをコンピューティングデバイス１３６に出力する、及び/又はインターロック１２９を操作することにより電力変換システム１０８に供給される電源を切る、を含む。
【００６８】
コントローラ１０６は、インターフェースモジュール２００、性能フィードバックモジュール２０２、ヒータ学習モジュール２０４、電力制御モジュール２０６、状態モデル制御モジュール２０８、状態選択モジュール２１０、及びシステム保護モジュール２１２の動作を実行するための様々な適切な方法で構成されてもよい。例えば、一形態では、コントローラ１０６は、学習モードで動作して、ヒータ負荷相関データ及び／又は抵抗−温度マッピングテーブルを形成する。またコントローラ１０６は、操作モードで動作して、状態制御モデルを変更したり、及び／又は、選択したヒータの動作状態を実行する。一形態では、コントローラ１０６は、ヒータ１０２に電力が印加されると、システム１００の異常動作をモニターする。
【００６９】
図６に参照されるように、そのようなモードを選択するために、コントローラ１０６は、コンピューティングデバイス１３６を介して、例えば、メインメニューＧＵＩ２７０を表示するように構成される。この例では、様々な制御オプションがボタン（例えば学習モードボタン２７２Ａ及び２７２Ｂ並びに操作モードボタン２７４Ａ及び２７Ｂ）として提供される。所望のボタンの起動により、コントローラ１０６は、１つ以上のプログラムを実行して、選択された追加情報タスクを要求するための追加ＧＵＩを生成することを含む選択された特定のタスクを実行する。
【００７０】
学習モードまたは操作モードでコントローラ１０６を動作させることに加えて、コントローラ１０６は、ヒータ性能に関する情報を表示するように動作可能である。例えば、ヒータの性能は、以下を含むが、これらに限定されない。すなわち、様々なゾーンの温度を示すための、ヒータ１０２の表面に沿った温度プロファイル（例えばボタン２７６Ａ）；ヒータ１０２に印加される電力量、電流、及び／又は電圧を提供する電力出力グラフ（例えばボタン２７６Ｂ）；加熱操作中の経時的なヒータ温度および負荷温度を示すためのヒータ−負荷温度チャート（すなわち、ボタン２７６Ｃ）を含む。コントローラ１０６が他のヒータ性能情報を出力するように構成され得ることは、容易に理解されるべきである。図６はメインメニューＧＵＩの特定の例を示しているが、本開示の範囲内で他のＧＵＩを使用してもよい。
【００７１】
制御システム１０４は、様々な構造的構成で実施することができる。例えば、一形態では、図７は、コントローラ、インターロック、電力変換システム、およびセンサ回路を収容するためのケース３０２を含む制御システムインターフェース３００を示している。インターフェース３００は、コンピューティングデバイスなどの１つ以上の外部デバイスに接続するための１つ以上の通信ポート３０４も含んでいる。使用される基準センサ１３０のタイプに基づいて、インターフェース３００は、基準センサ１３０からの入力を受け取るための補助ポート（図示せず）も含み、ヒータ１０２の加熱素子に接続するための電力ポート（図示せず）を含む。
【００７２】
図８および図９に参照されるように、一形態において、電源からの高ＡＣ電力から制御システムを保護するために、本開示の制御システムは、電源と電力コンバータとの間に絶縁バリアを含む。より詳細には、制御システム３５０は、電源１１８と電力変換システム１０８の電力コンバータ１１６との間に配置された分離回路３５２を含む。図示されていないが、制御システム３５０は、制御システム１０４の他の構成要素、例えばヒータコントローラ、インターロック、ヒータセンサ回路等、を含むように構成される。
【００７３】
他の構成要素と共に、分離回路３５２は、出力ＲＭＳを制御するためにブリッジデューティサイクルを制御するＲＭＳ（二乗平均平方根）制御回路３５４、及び、直流（ＤＣ）変圧器３５６を含む。分離回路３５２は、入力ライン電力から電力コンバータを電気的に分離する。出力は、アース／グランド及びＬ１／Ｌ２／Ｌ３からはフローティングしている。
【００７４】
本開示の説明は本質的に単なる例示であり、従って、本開示の本質から逸脱しない変形は本開示の範囲内にあるものとする。そのような変形は、本開示の精神および範囲からの逸脱と見なされるべきではない。
【００７５】
本明細書で使用される場合、Ａ、Ｂ、およびＣの少なくとも１つというフレーズは、非排他的論理ＯＲを使用する論理（Ａ  ＯＲ  Ｂ  ＯＲ  Ｃ）を意味すると解釈されるべきであり、「Ａの少なくとも１つ、Ｂの少なくとも１つ、およびＣの少なくとも１つ」を意味すると解釈されるべきではない。
【図１】
2020526870.tif 000005
【図２】
2020526870.tif 000006
【図３】
2020526870.tif 000007
【図４】
2020526870.tif 000008
【図５Ａ】
2020526870.tif 000009
【図５Ｂ】
2020526870.tif 000010
【図５Ｃ】
2020526870.tif 000011
【図５Ｄ】
2020526870.tif 000012
【図５Ｅ】
2020526870.tif 000013
【図６】
2020526870.tif 000014
【図７】
2020526870.tif 000015
【図８】
2020526870.tif 000016
【図９】
2020526870.tif 000017
【国際調査報告】
2020526870.tif 000018
2020526870.tif 000019
2020526870.tif 000020